(57)【要約】【課題】  交換レンズ側との通信が何らかの理由で不可能となった場合、レリーズが禁止となってしまうため撮影を行うことが出来なくなってしまう。【解決手段】  読み取り手段により交換レンズ内のＩＣタグの情報の読み取りが成功したにも関わらず、通信手段を介した通信が成立しない場合に表示や音を鳴らすことでユーザーに警告するカメラシステム。【選択図】  図１
2006038924.tif 000002
【特許請求の範囲】
【請求項１】
カメラ本体に着脱可能に構成され、情報を読み書き可能なＩＣタグを備え、ＩＣタグ内にレンズに関する情報が書き込まれている交換レンズと、上記交換レンズが着脱可能なカメラで、電気的接点を介して交換レンズと通信を行うカメラ側通信手段と、交換レンズ内のＩＣタグに記憶されている情報を読み取る読み取り手段と、交換レンズが取り付けられたことを検知する検知手段を備え、上記検知手段により交換レンズが装着されたことを検知し、読み取り手段により交換レンズ内のＩＣタグの情報の読み取りが成功したにも関わらず上記通信手段を介した通信が成立しない場合に表示や音を鳴らすことでユーザーに警告する警告手段とを備えたカメラ本体から成るカメラシステム。
【請求項２】
請求項１記載のカメラシステムにおいて、警告手段により警告を行うと共にレリーズを禁止することを特徴とするカメラシステム。
【請求項３】
請求項２記載のカメラシステムにおいて、警告手段により警告が行われレリーズ禁止となった場合に、レリーズを許可するレリーズ許可手段を備え、レリーズ許可手段によりレリーズを許可された場合には警告手段による警告を停止すると共にカメラの撮影機能を限定して動作することを特徴とするカメラシステム。
【請求項４】
請求項３記載のカメラシステムにおいて、読み取り手段により読み取った交換レンズ内のＩＣタグの情報から、交換レンズ内にカメラ本体の通信手段に対応した通信手段がないと判断された場合には、撮影機能を限定して動作するカメラ本体から成るカメラシステム。
【請求項５】
請求項４記載のカメラシステムにおいて、撮影機能を限定して動作する場合に警告を行う警告手段を設けたことを特徴とするカメラシステム。
【発明の詳細な説明】
【技術分野】
【０００１】
本発明はカメラ本体、交換レンズ、それらからなるカメラシステムなどの技術に関するものである。
【背景技術】
【０００２】
従来からカメラ本体と交換レンズからなるカメラシステムが知られている。更に、カメラ本体と交換レンズ間で通信を行い、交換レンズ内の光学に関する情報をカメラ本体に送信し、カメラ本体はその情報に基づいて交換レンズ内の絞りやフォーカス用のレンズを駆動するためのコマンドを通信し交換レンズを制御するカメラシステムが知られている。これらのカメラシステムはカメラ本体に交換レンズが取り付けられたことを検知するための検知手段を設けてあり、カメラ本体はこの検知手段により交換レンズが取り付けられたことを検知すると、交換レンズとの通信を試み、正常に通信が出来た場合には通常の撮影動作を可能とするが、通信が出来なかった場合には交換レンズに異常があると判断し正常な撮影が行えないとの理由でレリーズを禁止としてしまうカメラシステムが一般的である。
【特許文献１】特開平８−８２８２７号公報
【発明の開示】
【発明が解決しようとする課題】
【０００３】
しかし、上記のようなカメラシステムとした場合、交換レンズ側との通信が何らかの理由で不可能となった場合、レリーズが禁止となってしまうため撮影を行うことが出来なくなってしまう。交換レンズは通常手動でピントをあわせることが可能な構造となっており、また絞りは開放となっている。この点を考慮しユーザーが対応すれば、たとえカメラ本体と交換レンズ間の通信が不良となった場合でも、緊急時には撮影を行えた方がユーザーにとって有益となる場面が多い。本発明ではこのような緊急時にも撮影を可能とするとともに、ユーザーにはカメラ本体と交換レンズ間の通信が正常に行われていないことを警告することによりユーザーが戸惑うことなく対応できるカメラシステムを提供することを目的とする。
【課題を解決するための手段】
【０００４】
上記目的を達成する為に、請求項１に記載の発明は、
カメラ本体に着脱可能に構成され、情報を読み書き可能なＩＣタグを備え、ＩＣタグ内にレンズに関する情報が書き込まれている交換レンズと、上記交換レンズが着脱可能なカメラで、電気的接点を介して交換レンズと通信を行うカメラ側通信手段と、交換レンズ内のＩＣタグに記憶されている情報を読み取る読み取り手段と、交換レンズが取り付けられたことを検知する検知手段を備え、上記検知手段により交換レンズが装着されたことを検知し、読み取り手段により交換レンズ内のＩＣタグの情報の読み取りが成功したにも関わらず、上記通信手段を介した通信が成立しない場合に表示や音を鳴らすことでユーザーに警告する警告手段とを備えたカメラ本体から成るカメラシステムとするものである。
【０００５】
更に請求項２では、
請求項１記載のカメラシステムにおいて、警告手段により警告を行うと共にレリーズを禁止することを特徴とするカメラシステムとし、
請求項３では、
請求項２記載のカメラシステムにおいて、警告手段により警告が行われレリーズ禁止となった場合に、レリーズを許可するレリーズ許可手段を備え、レリーズ許可手段によりレリーズを許可された場合には警告手段による警告を停止すると共にカメラの撮影機能を限定して動作することを特徴とするカメラシステムとするものである。
【０００６】
以上のように通常の通信手段とＩＣタグを用いた情報読み取り手段を設けたことにより、電気接点を介した通信が異常な場合にも、ＩＣタグの情報読み取りが行われていれば最低限の撮影が行えるように構成し、ユーザーの意思により撮影を続けることを可能とした。
【０００７】
同じく上記の目的を達成する為に、請求項４に記載の発明は、
請求項３記載のカメラシステムにおいて、読み取り手段により読み取った交換レンズ内のＩＣタグの情報から、交換レンズ内にカメラ本体の通信手段に対応した通信手段がないと判断された場合には、撮影機能を限定して動作するカメラ本体から成るカメラシステム。
【０００８】
更に請求項５に記載の発明は、
請求項４記載のカメラシステムにおいて、撮影機能を限定して動作する場合に警告を行う警告手段を設けたことを特徴とするカメラシステムとするものである。
【０００９】
以上のような構成とすることにより交換レンズ内に通信手段を持たない場合においてもＩＣタグの情報を用いることによって、最低限の機能に限定して撮影が行えるカメラシステムを構成することが可能となる。
【発明の効果】
【００１０】
以上説明したように本発明によるカメラシステムでは、カメラ本体と交換レンズの通信に異常が生じた場合でも、交換レンズ内のＩＣタグの情報を読み取ることによりその情報を元に機能を限定して動作することが可能となったため、緊急時にも撮影が可能となる。また、交換レンズ内にフォーカスや絞りの駆動手段、カメラとの通信手段を持たないような交換レンズとの組み合わせにおいても機能を限定して動作することが可能となり、安価な交換レンズシステムを構築することが可能となる。
【発明を実施するための最良の形態】
【００１１】
以下、本発明を図示の実施の形態に基づいて詳細に説明する。
【００１２】
先ず、本発明に記載のカメラシステムの第一の実施例について説明する。
【００１３】
図１は本実施例のブロック図である。
【００１４】
１００は本実施例におけるカメラ本体で、２００は本実施例における交換レンズである。カメラ本体１００内には、電気回路部１０１があり、電気回路部１０１は交換レンズを通ってきた光の量を測定するための測光部１０２、撮像面上から、被写体までのデフォーカス量を測定するための測距部１０３、撮像素子（ＣＭＯＳセンサ等）に適当な時間露光するためのシャッター１０４、撮像素子１０５、これらのカメラ内の制御を行うカメラ本体内ＣＰＵ１０６、レンズとのシリアル通信を行うための通信手段１０７、カメラの各種情報を表示する表示手段１０８、警告音等を発するための発音手段１０９、交換レンズ内のＩＣタグの情報を読み取る為のＩＣタグリーダー１１０を有する。ＩＣタグリーダー１１０はマイクロ波帯の電波を送信し、以下に説明する交換レンズ２００内のＩＣタグ２１０と通信を行う。さらに、カメラ本体１００内には警告を解除するための警告解除手段１１１、交換レンズが取り付けられたことを検知する検知手段１１２と本実施例のカメラシステムを動作させる電源１１３も含まれる。
【００１５】
また、交換レンズ２００内には、２０１は交換レンズ２００中のフォーカシングレンズ、２０２はズーミングレンズ、２０３は絞り、２０４はズーミングレンズ２０２の位置を検出するためのズーム位置検出用ブラシ、２０５はフォーカシングレンズ２０１の位置を検出するためのフォーカス位置検出用ブラシ、２０６はオートフォーカスとマニュアルフォーカスを切り替えるＡ／Ｍスイッチ、２０７は交換レンズ２００内の電気回路部で、電気回路部２０７内には、交換レンズ内の制御を行うレンズ内ＣＰＵ２０８、カメラとの間でシリアル通信を行うための通信手段２０９、レンズ情報が記憶されたＩＣタグ２１０を有する。ＩＣタグ２１０はカメラ本体１００内のＩＣタグリーダーから送信される電波を送受信するアンテナと、このアンテナにより受信した電波を電源として動作するように構成されている。更に、交換レンズ２００内にはフォーカシングレンズの駆動制御を行うためのレンズ駆動制御部２１１、フォーカシングレンズを駆動するためのレンズ駆動用モータ２１２、絞りの駆動制御を行うための絞り制御部２１３、絞りを駆動するための絞り駆動用モータ２１４、フォーカシングレンズ２０１の移動に伴ってパルス信号を出力するパルス発生手段２１５が含まれる。
【００１６】
続いて図２のフローチャートを用いて本実施例の処理について説明する。
【００１７】
「ｓｔｅｐ１０１」
本実施例におけるカメラ本体側の処理をスタートする。
【００１８】
「ｓｔｅｐ１０２」
カメラ本体１は交換レンズ取り付け検知手段１１２により、交換レンズが装着されたか否かを判断する。装着が検知された場合は「ｓｔｅｐ１０３」へ進み、非検知の場合はそのまま装着されるのを待つ。
【００１９】
「ｓｔｅｐ１０３」
「ｓｔｅｐ１０２」にて交換レンズが装着されたことが検知されたので、カメラ本体１００は通信手段１０７を介して交換レンズ２００との通信を試みる。本実施例では3線式の８ｂｉｔシリアル通信方式を用いて交換レンズと通信するカメラシステムを例として説明する。カメラ本体１００と交換レンズ２００との通信は３本の信号線を用いて行われ、信号線のうち1本がカメラ本体１００から交換レンズ２００へシリアルクロックを供給するＬＣＬＫ信号。1本がカメラ本体１００から交換レンズ２００へコマンド或いはデータを送信するためのＤＣＬ信号。残りの1本は交換レンズ２００からカメラ本体１００へデータを送信するＤＬＣ信号となっている。カメラ本体１００は交換レンズ２００へ８ｂｉｔのＬＣＬＫ信号のシリアルクロックを供給すると共にシリアルクロックに同期したＤＣＬ信号でコマンドを送信する。次の通信でカメラ本体１００からＬＣＬＫ信号でシリアルクロックを供給すると、交換レンズ２００からはＤＬＣ信号でシリアルクロックに同期した８ｂｉｔのデータが送られてくる。正常な通信の場合は上記のようなやり取りが繰り返し行われカメラ本体１００によって交換レンズ２００が制御される。カメラ本体１００は、所定のコマンドに対する交換レンズ２００の返信データが予め決められているデータと異なる場合や、信号線の電圧レベルが異常な時に通信が異常であると判断する。ここ「ｓｔｅｐ１０３」では通信が正常に行われていると判断されれば「ｓｔｅｐ１０６」へ進み、通信が異常と判断されれば「ｓｔｅｐ１０４」へ進む。
【００２０】
「ｓｔｅｐ１０４」
交換レンズ２００内のＩＣタグ２１０の情報を読み取る為、カメラ本体１００はＩＣタグリーダー１１０を起動する。ＩＣタグリーダー１１０はマイクロ波帯の電波を交換レンズ内のＩＣタグ２１０へ送信する。交換レンズ２００内のＩＣタグ２１０は電波を送受信するアンテナを備え、このアンテナにより受信した電波から電磁誘導により電源を作り出し動作するよう構成されている。このＩＣタグ２１０には交換レンズの光学に関する情報の一部が記憶されており、焦点距離、開放Ｆ値などが記憶されている。カメラ本体１００側は交換レンズ２００内のＩＣタグ２１０の情報が読み出せた場合には「ｓｔｅｐ１０５」へ進み、読み込みできなかった場合は「ｓｔｅｐ１０８」へ進む。
【００２１】
「ｓｔｅｐ１０５」
「ｓｔｅｐ１０３」で通信手段１０７を介した通信が出来ないと判断され、「ｓｔｅｐ１０４」でＩＣタグ２１０の情報の読み取りは成功したので、その旨をユーザーへ知らせるため警告を行うと共にレリーズを禁止する。これは、ユーザーへ異常が起きていることを知らせるとともに適切な処置をとるように促すためである。ここでの警告は表示手段１０８への表示によって行ったり、発音手段１０９により発音させて警告してもよい。また、警告の方法についてはユーザーが選択できるように構成してもよい。なお、ユーザー側が何の異常による警告なのか分るように、この「ｓｔｅｐ１０５」での警告と「ｓｔｅｐ１０８」の警告は異なったものとするとよい。
【００２２】
「ｓｔｅｐ１０６」
カメラ本体１００と交換レンズ２００の通信が正常に行われていると判断されたので、撮影が可能な通常の動作を行う。
【００２３】
「ｓｔｅｐ１０７」
ユーザーによって警告解除手段１１１が操作され警告が解除されたかを判断する。警告解除手段が操作され警告が解除されたなら「ｓｔｅｐ１０９」へ進み、警告解除されていなければそのまま待つ。
【００２４】
「ｓｔｅｐ１０８」
通信手段１０７を介しての通信が異常で、ＩＣタグの情報も読み取れなかったため、警告を行うとともにレリーズを禁止とする。ここでのレリーズ禁止は解除を行うことが出来ないものとなっている。これは、交換レンズ側の情報が通信及びＩＣタグにより得ることが出来ずカメラ本体側での撮影に関する制御に支障をきたし、正常な撮影が不可能なためである。また、ここでの警告は「ｓｔｅｐ１０５」とは異なったものとし、ユーザーが何の異常による警告なのかを分るようにするとよい。
【００２５】
「ｓｔｅｐ１０９」
ユーザーにより警告解除手段１１１が操作されたので警告を解除すると共に機能を限定してレリーズを許可する。ここではＩＣタグ２１０から読み取った情報に開放Ｆ値が含まれていることから露出制御方式をマニュアルと絞りを開放Ｆ値に固定した絞り優先ＡＥに、また、通信によって交換レンズを制御することが不可能な状態なのでフォーカスモードをマニュアルに限定する。
【００２６】
「ｓｔｅｐ１１０」
本実施例の処理を終了する。
【００２７】
以上説明してきたように、本実施例におけるカメラシステムではカメラ本体と交換レンズの通信に異常が生じた場合にも交換レンズ内のＩＣタグに記憶されている情報に基づいて機能を限定して動作することが可能なので、緊急時においても撮影が可能となる。また、警告手段を備えたことによりユーザー側は戸惑うことなく対応することが可能となり、撮影の失敗を未然に防止することが出来る。
【００２８】
続いて本発明の第二の実施例について説明する。
【００２９】
図３は本実施例のブロック図である。
【００３０】
１００は本実施例におけるカメラ本体で、２００は本実施例における交換レンズである。カメラ本体１００内には、電気回路部１０１があり、電気回路部１０１は交換レンズを通ってきた光の量を測定するための測光部１０２、撮像面上から、被写体までのデフォーカス量を測定するための測距部１０３、撮像素子（ＣＭＯＳセンサ等）に適当な時間露光するためのシャッター１０４、撮像素子１０５、これらのカメラ内の制御を行うカメラ本体内ＣＰＵ１０６、レンズとのシリアル通信を行うための通信手段１０７、カメラの各種情報を表示する表示手段１０８、警告音等を発するための発音手段１０９、交換レンズ内のＩＣタグの情報を読み取る為のＩＣタグリーダー１１０を有する。ＩＣタグリーダー１１０はマイクロ波帯の電波を送信し、以下に説明する交換レンズ２００内のＩＣタグ２１０と通信を行う。さらに、カメラ本体１００内には警告を解除するための警告解除手段１１１、交換レンズが取り付けられたことを検知する検知手段１１２と本実施例のカメラシステムを動作させる電源１１３も含まれる。
【００３１】
また、交換レンズ３００内には、レンズ群３０１とレンズ情報が記憶されたＩＣタグ３０２を有する。ＩＣタグ３０２はカメラ本体１００内のＩＣタグリーダーから送信される電波を送受信するアンテナと、このアンテナにより受信した電波を電源として動作するように構成されている。本実施例の交換レンズ３００は第一の実施例における交換レンズ２００とは異なりフォーカスレンズの駆動手段や絞りの駆動手段、通信手段も持たない交換レンズである。
【００３２】
続いて図４のフローチャートを用いて本実施例の処理について説明する。
【００３３】
「ｓｔｅｐ２０１」
本実施例における処理を開始する。
【００３４】
「ｓｔｅｐ２０２」
カメラ本体１は交換レンズ取り付け検知手段１１２により、交換レンズが装着されたか否かを判断する。装着が検知された場合は「ｓｔｅｐ２０３」へ進み、非検知の場合はそのまま装着されるのを待つ。
【００３５】
「ｓｔｅｐ２０３」
交換レンズ３００内のＩＣタグ３０２の情報を読み取る為、カメラ本体１００はＩＣタグリーダー１１０を起動する。ＩＣタグリーダー１１０はマイクロ波帯の電波を交換レンズ内のＩＣタグ３０２へ送信する。交換レンズ２００内のＩＣタグ３０２は電波を送受信するアンテナを備え、このアンテナにより受信した電波から電磁誘導により電源を作り出し動作するよう構成されている。このＩＣタグ３０２には交換レンズの光学に関する情報の一部である焦点距離、開放Ｆ値などと、交換レンズ内にカメラ本体１００側の通信手段１０７に対応した通信手段を有しているか否かの情報が記憶されている。カメラ本体１００側は交換レンズ２００内のＩＣタグ２１０の情報が読み出せた場合には「ｓｔｅｐ２０４」へ進み、読み込みできなかった場合は「ｓｔｅｐ２０５」へ進む。
【００３６】
「ｓｔｅｐ２０４」
「ｓｔｅｐ２０３」にてＩＣタグの情報が読み取れなかったので、次にカメラ本体１００は通信手段１０７を介して交換レンズ２００との通信を試みる。本実施例でも第一の実施の形態と同様に3線式の８ｂｉｔシリアル通信方式を用いて交換レンズと通信するカメラシステムを例としている。詳細については第一の実施例の「ｓｔｅｐ１０３」にて説明しているのでここでは割愛する。ここ「ｓｔｅｐ２０５」では通信が正常に行われていると判断されれば「ｓｔｅｐ２０８」へ進み、通信が異常と判断されれば「ｓｔｅｐ２０７」へ進む。
【００３７】
「ｓｔｅｐ２０５」
「ｓｔｅｐ２０３」にて交換レンズ２００内のＩＣタグ３０２の情報の読み取りが行えたので、ここでは読み取った情報から交換レンズ２００内にカメラ本体１００側の通信手段１０７に対応した通信手段を有しているか否かを判別する。交換レンズが通信手段を有していると判断された場合は「ｓｔｅｐ２０６」へ、ないと判断された場合には「ｓｔｅｐ２１０」へ進む。
【００３８】
「ｓｔｅｐ２０６」
「ｓｔｅｐ２０４」にて通信手段を有していると判断されたのでので、カメラ本体１００は通信手段１０７を介して交換レンズ２００との通信を試みる。本実施例でも第一の実施の形態と同様に3線式の８ｂｉｔシリアル通信方式を用いて交換レンズと通信するカメラシステムを例としている。詳細については第一の実施例の「ｓｔｅｐ１０３」にて説明しているのでここでは割愛する。ここ「ｓｔｅｐ２０６」では通信が正常に行われていると判断されれば「ｓｔｅｐ２０８」へ進み、通信が異常と判断されれば「ｓｔｅｐ２０９」へ進む。
【００３９】
「ｓｔｅｐ２０７」
ＩＣタグの情報も読み取れず、通信手段１０７を介しての通信も異常であったため、警告を行うとともにレリーズを禁止とする。これは、交換レンズ側の情報が通信及びＩＣタグにより得ることが出来ずカメラ本体側での撮影に関する制御に支障をきたし、正常な撮影が不可能なためである。警告は表示手段１０８への表示、或いは発音手段１０９による発音によって行う。また、警告の方法についてはユーザーが選択できるように構成してもよい。なお、ユーザー側が何の異常による警告なのか分るように、この「ｓｔｅｐ２０７」での警告と「ｓｔｅｐ２０９」「ｓｔｅｐ２１０」の警告は異なったものとするとよい。
【００４０】
「ｓｔｅｐ２０８」
カメラ本体１００と交換レンズの通信が正常に行われていると判断されたので、撮影が可能な通常の動作を行う。
【００４１】
「ｓｔｅｐ２０９」
「ｓｔｅｐ２０３」でＩＣタグ３０２の情報の読み取りに成功し「ｓｔｅｐ２０５」で通信手段１０７に対応した通信手段を有し、「ｓｔｅｐ２０６」で通信手段１０７との通信に異常があると判断されたので、その旨をユーザーへ知らせるため警告を行うと共にレリーズを禁止する。ここでの警告は、ユーザーへカメラ本体と交換レンズ間の通信に異常があることを知らせるとともに適切な処置をとるように促すためである。警告は表示手段１０８への表示によって行ったり、発音手段１０９により発音させて警告してもよい。また、警告の方法についてはユーザーが選択できるように構成してもよい。なお、ユーザー側が何の異常による警告なのか分るように、この「ｓｔｅｐ２０９」での警告と「ｓｔｅｐ２０７」「ｓｔｅｐ２１０」の警告は異なったものとするとよい。
【００４２】
「ｓｔｅｐ２１０」
「ｓｔｅｐ２０３」でＩＣタグ３０２の情報の読み取りに成功し「ｓｔｅｐ２０４」で通信手段１０７に対応した通信手段がないと判断されたので、その旨をユーザーへ知らせるため警告を行うと共に機能を限定する。ここではＩＣタグ３０２から読み取った情報に開放Ｆ値が含まれていることから露出制御方式をマニュアルと絞りを開放Ｆ値に固定した絞り優先ＡＥに、また、通信によって交換レンズを制御することが不可能なのでフォーカスモードをマニュアルに限定する。ここでの警告は、ユーザーへ通常の動作モードとは異なる機能が限定された状態であることを知らせるとともに適切な処置をとるように促すためであるが、ユーザーは通信機能を有しない交換レンズを意図的に取り付けたと考えられるので警告は他の「ｓｔｅｐ２０７」「ｓｔｅｐ２０９」における警告よりも軽度な警告とした方がよい。
【００４３】
「ｓｔｅｐ２１１」
ユーザーによって警告解除手段１１１が操作され警告が解除されたかを判断する。警告解除手段が操作され警告が解除されたなら「ｓｔｅｐ２１２」へ進み、警告解除されていなければそのまま待つ。
【００４４】
「ｓｔｅｐ２１２」
ユーザーにより警告解除手段１１１が操作されたので警告を解除すると共に機能を限定してレリーズを許可する。ここではＩＣタグ２１０から読み取った情報に開放Ｆ値が含まれていることから露出制御方式をマニュアルと絞りを開放Ｆ値に固定した絞り優先ＡＥに、また、通信によって交換レンズを制御することが不可能な状態なのでフォーカスモードをマニュアルに限定する。
【００４５】
「ｓｔｅｐ２１３」
本実施例の処理を終了する。
【００４６】
以上説明してきたように、本実施例では交換レンズ内に通信手段を持たないような交換レンズとの組み合わせにおいても、交換レンズ内のＩＣタグから情報を読み取り、その情報を元に機能を限定して動作することが可能となっている。
【図面の簡単な説明】
【００４７】
【図１】本発明の第一の実施の形態であるカメラシステムのブロック図。
【図２】カメラシステムの処理を説明するフローチャート。
【図３】本発明の第二の実施の形態であるカメラシステムのブロック図。
【図４】カメラシステムの処理を説明するフローチャート。
【符号の説明】
【００４８】
１００  カメラ本体    
１０１  カメラ本体内電気回路部
１０２  測光部
１０３  測距部
１０４  シャッター
１０５  給送チャージ系
１０６  カメラ本体内ＣＰＵ
１０７  通信手段
１０８  表示手段
１０９  発音手段
１１０  ＩＣタグリーダ
１１１  警告解除手段
１１２  検知手段
１１３  電源
２００  交換レンズ
２０１  フォーカシングレンズ
２０２  ズーミングレンズ
２０３  絞り
２０４  ズーム位置検出用ブラシ
２０５  フォーカス位置検出用ブラシ
２０６  Ａ／Ｍスイッチ
２０７  交換レンズ内電気回路部
２０８  レンズ内ＣＰＵ
２０９  通信手段
２１０  ＩＣタグ
２１１  レンズ駆動制御部
２１２  レンズ駆動用モータ
２１３  絞り制御部
２１４  絞り駆動用モータ
２１５  パルス発生手段
３００  交換レンズ
３０１  レンズ群
３０２  ＩＣタグ
【図１】
2006038924.tif 000003
【図２】
2006038924.tif 000004
【図３】
2006038924.tif 000005
【図４】
2006038924.tif 000006